【手続補正書】
【提出日】平成20年6月24日(2008.6.24)
【手続補正１】
【補正対象書類名】特許請求の範囲
【補正対象項目名】全文
【補正方法】変更
【補正の内容】
【特許請求の範囲】
【請求項１】
マルチメディア・メッセージを受信して記憶し、
サーバに記憶された無線端末についてのユーザ・プロファイルから該無線端末の特性についての情報を読み出し、
読み出された前記無線端末の特性にしたがって前記無線端末が処理できるマルチメディア・メッセージの少なくとも一つの構成要素を識別し、
前記少なくとも一つの構成要素を前記無線端末へ送信する、
ことを含む方法。
【請求項２】
前記少なくとも一つの構成要素のコンテンツのタイプに基づいて、前記マルチメディア・メッセージの前記少なくとも一つの構成要素の送信のための少なくとも一つのベアラを選択する、
ことをさらに含む請求項１に記載の方法。
【請求項３】
前記少なくとも一つのベアラの選択は、前記無線端末によって実行されることを特徴とする、請求項２に記載の方法。
【請求項４】
前記マルチメディア・メッセージの前記少なくとも一つの構成要素の少なくとも一つの特性についての情報を含む通知メッセージを前記無線端末へ送信する、
ことをさらに含む請求項１に記載の方法。
【請求項５】
前記無線端末の特性についての前記情報が、前記無線端末の利用可能な記憶容量についての情報を含むことを特徴とする請求項１に記載の方法。
【請求項６】
前記無線端末の特性についての前記情報が、ある形式のマルチメディア構成要素を処理するための前記無線端末の能力についての情報を含むことを特徴とする請求項１に記載の方法。
【請求項７】
マルチメディア構成要素を処理するための前記無線端末の前記能力が、前記無線端末のハードウェア特性及び／または前記無線端末にインストールされたプログラムの特性に基づいて規定されることを特徴とする請求項６に記載の方法。
【請求項８】
前記サーバに記憶された前記無線端末の特性についての情報に対して最大有効時間を規定することを特徴とする請求項１に記載の方法。
【請求項９】
マルチメディア・メッセージが前記サーバに到着したことを示す通知メッセージを前記無線端末へ送信し、該通知メッセージは前記無線端末の特性を更新する要求を含み、
前記サーバに記憶された前記無線端末の特性を更新する情報を受信して記憶する、
ことをさらに含む請求項１に記載の方法。
【請求項１０】
前記無線端末としてWAP端末を使用し、かつ、サーバとしてマルチメディア・メッセージ・サービス・センタを使用することを特徴とする請求項１に記載の方法。
【請求項１１】
前記マルチメディア・メッセージの前記少なくとも一つの構成要素が、前記無線端末から送信要求を受信することなく送信されることを特徴とする請求項１に記載の方法。
【請求項１２】
マルチメディア・メッセージ・システムにおいて使用されるサーバであって、
マルチメディア・メッセージを受信する受信器と、
無線端末の特性についての情報を含むユーザプロファイルを記憶するデータ記憶部と、
コントロールユニットであって、
前記データ記憶部に記憶された前記無線端末の特性についての情報を読み出し、
前記読み出された情報にしたがって前記無線端末が処理できる前記マルチメディア・メッセージの少なくとも一つの構成要素を識別するコントロールユニットと、
前記マルチメディア・メッセージの前記少なくとも一つの構成要素を前記無線端末へ送信する送信器と、
を有するサーバ。
【請求項１３】
前記マルチメディア・メッセージの前記少なくとも一つの構成要素の少なくとも一つの特性についての情報を含む通知メッセージを前記無線端末へ送信するように構成される、請求項１２に記載のサーバ。
【請求項１４】
前記サーバに記憶された前記無線端末の少なくとも一つの特性についての前記情報に対して最大有効時間が指定されることを特徴とする請求項１２に記載のサーバ。
【請求項１５】
マルチメディア・メッセージが到着したことを示す通知メッセージを前記無線端末へ送信し、該通知メッセージは前記無線端末の特性を更新する要求をさらに含み、かつ、
前記無線端末の特性を更新する情報を受信して前記データ記憶部に記憶するように構成される、請求項１２に記載のサーバ。
【請求項１６】
前記データ記憶部に記憶された前記無線端末の特性についての前記情報の有効性と、前記通知メッセージ内の前記無線端末の特性を更新する要求を検査するように構成される、請求項１５に記載のサーバ。
【請求項１７】
マルチメディア・メッセージ・サービス・センタであることを特徴とする請求項１２に記載のサーバ。
【請求項１８】
無線端末であって、
サーバにおけるマルチメディア・メッセージの受信を示す通知メッセージを受信する受信器と、
前記マルチメディア・メッセージの少なくとも一つの構成要素の送信についての要求を、当該無線端末が処理可能な前記構成要素を識別することなく、前記サーバへ送信する送信器と、
を有する無線端末。
【請求項１９】
前記少なくとも一つの構成要素のコンテンツのタイプに基づいて、前記マルチメディア・メッセージの前記少なくとも一つの構成要素の送信のための少なくとも一つのベアラを選択するように構成されることを特徴とする請求項１８に記載の無線端末。
【請求項２０】
前記無線端末の特性についての前記情報が、前記無線端末の利用可能な記憶容量についての情報を含むことを特徴とする請求項１８に記載の無線端末。
【請求項２１】
前記無線端末の特性についての前記情報が、ある形式のマルチメディア・メッセージの構成要素を処理するための前記無線端末の能力についての情報を含むことを特徴とする請求項１８〜２０の何れか一項に記載の無線端末。
【請求項２２】
前記マルチメディア・メッセージの構成要素を処理するための前記無線端末の前記能力が、前記無線端末のハードウェア特性及び／または前記無線端末にインストールされたプログラムの特性に基づいて指定されることを特徴とする請求項２１に記載の無線端末。
【請求項２３】
前記通知メッセージ内の特性情報更新要求に応じて、前記無線端末の特性についての情報を前記サーバへ送信するように構成される、請求項１８に記載の無線端末。
【請求項２４】
WAP端末であることを特徴とする請求項１８に記載の無線端末。
【請求項２５】
前記無線端末の特性についてUaprof情報送信メッセージを受信することをさらに含む、請求項１に記載の方法。
【請求項２６】
前記Uaprof情報送信メッセージは、WAP仕様に従って形成される、請求項２５に記載の方法。
【請求項２７】
前記無線端末から、前記無線端末が処理できる前記マルチメディア・メッセージの少なくとも一つの構成要素の識別結果を受信することなく、前記マルチメディア・メッセージの少なくとも一つの構成要素を前記無線端末へ送信するよう構成されたことを特徴とする請求項１２に記載のサーバ。
【請求項２８】
前記無線端末から送信要求を受信することなく、前記マルチメディア・メッセージの少なくとも一つの構成要素を前記無線端末へ送信するよう構成されたことを特徴とする請求項１２に記載のサーバ。
【請求項２９】
前記無線端末の特性についての前記情報は、前記無線端末の利用可能なメモリについての情報を含むことを特徴とする請求項１２に記載のサーバ。
【請求項３０】
前記無線端末の特性についての前記情報は、ある形式の構成要素を処理する前記無線端末の能力についての情報を含むことを特徴とする請求項１２に記載のサーバ。
【請求項３１】
ある形式の構成要素を処理する前記無線端末の能力についての前記情報は、前記無線端末のハードウェア特性と、前記無線端末のソフトウェア特性と、前記無線端末に取り付けられたアクセサリデバイスのソフトウェア特性のうちの少なくとも一つによって規定されることを特徴とする請求項３０に記載のサーバ。
【請求項３２】
前記要求は、Uaprof情報を読み出す情報を含むことを特徴とする請求項１８に記載の無線端末。
【請求項３３】
前記Uaprof情報送信メッセージをWAP仕様に従って形成するよう構成される、請求項１８に記載の無線端末。